(57)【要約】      （修正有）【課題】電気部品保持具へ何らかの力が加わることによる形状変形によって、保持部に設けられた係止機構が嵌合し外れない電線保持具を提供する。【解決手段】電気部品等を保持する保持部２と、該保持部２を取り付け用板材に固定する固定部３とを備えた電気部品保持具であって、保持部２の腕１２と枠部９の自由端に着脱自在な係止機構を設け、電気部品保持具に何らかの力が加わり本体形状が変形した際は該係止機構の引っ掛け部１０、１１にそれぞれ設けられた凸部と凹部、凸部と凹部を嵌合させ係止機構をロックする。【選択図】図１
2005135980.tif 000002
【特許請求の範囲】
【請求項１】
電気部品等を保持する保持部と、該保持部を被固定部材に固定する固定部とを備えた電気部品保持具であって、前記保持部の自由端には保持部から一続きに形成された、互いに着脱自在に嵌合する一対の引っ掛け部を備えた係止機構を設けてあり、この係止機構の嵌合が、保持する電気部品の長手方向に力がかかった場合や、電気部品保持具本体にねじれ方向の力がかかった場合に、容易に外れない手段を設けたことを特徴とする電気部品保持具。
【請求項２】
前記係止機構の引っ掛け部にはそれぞれ係合片を設け、さらに互いの係合片を嵌め込むための保持溝を備えたことを特徴とする請求項１に記載した電気部品保持具。
【請求項３】
前記係合片は凸部を備え、前記保持溝内側には該凸部が係合する凹部が形成されたことを特徴とする請求項１または請求項２に記載の電気部品保持具。
【発明の詳細な説明】
【技術分野】
【０００１】
本発明は、例えばシャーシやプリント基板等の被固定部材に、配線等の電気部品を安定して固定する電気部品保持具に関するものである。
【背景技術】
【０００２】
電気機器等に配置される電線等の電気部品を、電気機器の本体または内部の被固定部材（例えばシャーシやパネル、プリント基板等）に固定し、機器内のスペースの有効利用を図る手段として、様々な電気部品保持具が使用されている。
【０００３】
例えば、図１１や図２４に示した従来の電気部品保持具は、電気部品を保持するための保持部に、一対の引っ掛け部による着脱自在な係止機構を設け、電気部品を保持する際は係止機構の引っ掛け部と引っ掛け部を嵌合させロックした状態で挿通孔を形成し、挿通孔から電気部品を出し入れする際は引っ掛け部の嵌合を外し、係止機構のロックを解除するように形成されている。また、該電気部品保持具には保持部と一体に形成された、該電気部品保持具を被固定部材に固定するための固定部を形成してあり、予め被固定部材に貫通開口された取り付け用孔に該固定部を差し込み固定することで、電気部品保持具を被固定部材に固定して使用する。
【０００４】
図２４は従来の電気部品保持具８１の正面図、図２５は図２４の右側面図である。図２６は図２４に表すＶ−Ｖ断面図であり、引っ掛け部９０と引っ掛け部９１の嵌合を表す。図２４に示した従来の電気部品保持具８１は、電気機器の被固定部材（図は省略する）に予め貫通開口された取り付け用孔に、固定部８３の先端９５を差し込み、被固定部材の一方の面に逆止爪９４の自由端を、被固定部材のもう一方の面に押圧支持片９３の端を係止させて、被固定部材に電気部品保持具８１を固定し使用する。また、電気部品保持具８１は固定部８３と一体に形成された保持部８２を備えている。該保持部８２は、基台８５から枠部８９が、枠部８９の対面側には腕部９２が基台８５から一続きに形成されている。そして該枠部８９の自由端に設けられた引っ掛け部９０と腕部９２の自由端に設けられた引っ掛け部９１とを嵌合させると保持部８２全体は略四角形の枠状になり、挿通孔８８を形成する。
【０００５】
前記電気部品保持具８１に電気部品を挿入し保持させる際には、係止機構である引っ掛け部９０と引っ掛け部９１の嵌合を解除する。腕部９２を矢印Ｐと逆の方向へ手などで押して移動させると、折り曲げ部９６が撓んで曲がり、基台８５方向へと倒れ、腕部９２の自由端に形成された引っ掛け部９１は嵌合していた引っ掛け部９０から離れ、挿通孔８８の一部が開いた状態になる。この状態で挿通孔８８内に電気部品を挿入する。電気部品挿入後、腕部９２を押していた手を離すと、腕部９２には本体素材の合成樹脂の弾性復元力により矢印Ｐ方向へテンションがかかるので、元の場所へと戻り、引っ掛け部９０と引っ掛け部９１は嵌合し係止機構はロックされた状態となり、保持部８２は再び略四角形の挿通孔を形成する。
【０００６】
図２６は電気部品保持具８１の図２４に示したＶ−Ｖ矢視断面図であり、引っ掛け部９０と引っ掛け部９１の嵌合を表す。矢印Ｐは本体素材の弾性復元力によるテンションが腕部９２と引っ掛け部９１にかかる方向を示す（図２４の矢印Ｐと同方向）。矢印Ｐ方向へとかかるテンションにより、引っ掛け部９１に形成された凸部１０１は、枠部８９の引っ掛け部９０に形成された凹部１００に係止し、引っ掛け部９０と引っ掛け部９１は嵌合した状態となっている。
【０００７】
図２７は、腕部９２を矢印Ｒ方向（つまり図２４に示す矢印Ｐの反対方向）へと押している状態の図で、わかりやすいようにＶ−Ｖ矢視断面図で表している。腕部９２が図２４に示す矢印Ｐの反対の方向へ押され、それに伴い引っ掛け部９１は図２７に示す矢印Ｒ方向へと押される。図２６にて嵌合状態であった凸部１０１は凹部１００から離れて、引っ掛け部９０と引っ掛け部９１の嵌合が外れ図２７に示した状態になり、挿通孔８８の一部が開いている状態を表す。
【０００８】
上記、電気部品保持具８１の場合、引っ掛け部９１の凸部１０１と引っ掛け部９０の凹部１００との嵌合は、前述した腕部９２にかかる矢印Ｐ方向への本体素材の弾性によるテンションによって凸部１０１が凹部１００に押しつけられていることにより保たれている。
【０００９】
しかしながら、電気部品保持具８１に、図２５や図２８に示す矢印Ｑ方向から、矢印Ｐ方向へかかっているテンションの力より強い力が加わると、凸部１０１は凹部１００から矢印Ｔ方向へと外れてしまい、これにより引っ掛け部９０と引っ掛け部９１との嵌合が外れ電気部品を保持できなくなるという問題があった。矢印Ｑの逆方向から強い力が掛かった場合も上記と同様に凸部１０１は凹部１００から矢印Ｔの反対方向へと外れてしまう。
【００１０】
加えて、電気部品保持具８１の腕部９２部分を長くすればするほど、図２４に示した矢印Ｐ方向への本体素材の弾性復元力によるテンションが弱くなるため、電気部品保持具８１に何らかの力が加わった場合に、電気部品保持具８１は撓みやねじれが生じやすくなり、前記の問題と同様に引っ掛け部９０と引っ掛け部９１との嵌合が外れてしまい、電気部品を保持できなくなるという問題があるため、電気部品保持具８１のサイズや形状は制約されてしまい、保持できる電気部品の大きさや量が制限されてしまうという問題もあった。
【００１１】
上記のような問題を解決するために工夫した電気部品保持具も存在する。図１１は従来の電気部品保持具５０の正面図、図１２、図１３は図１１に示した電気部品保持具５０の係止機構部分を示す要部の拡大斜視図、図１４は図１２の正面図、図１５は図１３の正面図である。図１６は図１４の平面図、図１７は図１５の平面図である。図１１に示した従来の電気部品保持具５０は、固定部６５の支柱５４を、電気機器の被固定部材７０に予め貫通開口された取り付け用孔７１に差し込み、支柱５４と押圧支持片５７を被固定部材７０に係止させて使用する。
【００１２】
該電気部品保持具５０に電気部品を挿入する際には、係止機構５８と係止機構５９との嵌合を解除し、挿通孔５５の一部が開いた状態（図１の正面図にて示した状態）にする。この状態で挿通孔５５内に電気部品を挿入した後、腕部５１を矢印Ａ方向へ手などで押して移動させると折り曲げ部５６が撓んで曲がり、腕部５１の自由端に形成された係止機構５８は係止機構５９を乗り越えて、枠部５２の自由端に形成された係止機構５９よりも内側（挿通孔５５側）に入り込み、係止機構５８と係止機構５９が嵌合して略四角形に挿通孔を形成する。このときの係止機構５８と係止機構５９の状態を詳しく説明すると、第一凸部６０が第二凹部６３へ係止し、第二凸部６２が第一凹部６１へと係止して互いに嵌合し、係止機構をロックした状態になっている。
【００１３】
前記のようにしてロックされた、電気部品保持具５０の係止機構のロックを解除するには、腕部５１を手や工具等で図１に示す矢印Ａの方向へさらに押すと、折り曲げ部５６が撓んで曲がり、第一凸部６０は第二凹部６３から離れる。以上により係止機構のロックが解除される。腕部５１を離すと弾性復元力により腕部５１は元の位置に戻り、係止機構は再びロックされた状態になる。
【発明の開示】
【発明が解決しようとする課題】
【００１４】
前記のような従来の電気部品保持具５０では、電気部品保持具５０に何らかの力が加わった場合、電気部品保持具５０が撓んだり、ねじれが生じたりして、腕部５１が図１６、図１７に示した矢印Ｂ方向に移動し枠部５２が図１６、図１７に示す矢印Ｃ方向へ移動した場合、第一凸部６０が第二凹部６３から離れ、第二凸部６２が第一凹部６１から離れる。これにより係止機構５８と係止機構５９の嵌合が外れてロックが不用意に外れてしまい、電気部品を保持できなくなるという問題があった。
【００１５】
加えて、前記の問題の他にも、腕部５１や枠部５２の長さを長くすると、電気部品保持具５０に何らかの力が加わった場合に、電気部品保持具５０全体がさらに撓んだり、ねじれたりしやすくなり、前記の問題と同様に係止機構５８と係止機構５９の嵌合が不用意に外れてロックが解除されてしまうという問題があるため、電気部品保持具５０のサイズや形状は制約されてしまい、保持できる電気部品の量やサイズにも制約が出てきてしまう。また、腕部５１は挿通孔５５を開閉する扉のような役割も果たしており、腕部５１の長さは挿通孔５５の開口部の幅となるが、上記の理由で腕部５１の長さに制約があるため、結果、電気部品保持具５０内に一度に挿入できる電気部品の数や形状も限られる。また、電気部品保持具５０内に電気部品を保持して係止機構をロックした場合、挿通孔の外側に段差が生じるため、作業者の手指や工具が引っ掛かりやすい形状になっている。（例えば、特許文献１  参照）
【特許文献１】「実用新案公報  実開昭６１−４６７８０」
【課題を解決するための手段】
【００１６】
本発明は、上記のような従来技術の問題を解決することを課題とするものであり、安価に製造することができ、不用意に保持部の係止機構のロックが外れることがなく、サイズや形状に制約の少ない電気部品保持具を提供することを目的とする。
【００１７】
つまり、本発明の電気部品保持具は、電気部品等を保持する保持部と、該保持部を電気機器の本体や被固定部材に取り付けるための固定部とを備えており、前記保持部の自由端には一対の引っ掛け部からなる着脱自在な係止機構を設け、電気部品を保持する際は係止機構をロックして挿通孔を形成し、挿通孔から電気部品を出し入れする際は係止機構を外せるように形成されている。該係止機構は保持部の枠部自由端に形成された引っ掛け部の凸部と凹部と、腕部の自由端に形成された引っ掛け部の凸部と凹部とをそれぞれ嵌合させる構造になっており、係止機構をロックした際は外側がフラットな形状になるよう形成されている。
【発明の効果】
【００１８】
本発明の電気部品保持具は以上のような構成であり、外側をフラットな形状に形成しているため、作業中や電気部品の作動中に手指や器具、他の部品等が電気部品保持具にひっかかって係止機構のロックが不用意に外れたり、作業者がケガをしたりすることがない。
【００１９】
本発明の電気部品保持具の保持部２に電気部品を挿入する際は、図１に示した前記腕部１２を矢印Ｄ方向へ手または工具などで押すだけで係止機構のロックが解除され、腕部１２から手を離すと腕部１２は本体素材である合成樹脂の弾性復元力により元にあった場所に戻り、係止機構は再びロックされた状態になるので、使用する時には保持したい電気部品本体で腕部１２を押すなどするだけで電気部品を本発明の電気部品保持具に挿入でき、腕部１２は自動的に元の場所に戻るため、同時に係止機構のロックもできる。これにより作業が極めて簡単になり、作業の工数も減らすことが出来るので作業時間の短縮も可能である。
【００２０】
また、本発明の電気部品保持具を取り付けた電気機器が動作している最中に、保持している電線等の電気部品が動くことにより引っ張られたり、他の部品等に押されたり、電気部品保持具本体に何らかの衝撃や力が様々な方向から加わるなどして電気部品保持具本体が撓んだりねじれたりする場合がある。
【００２１】
挿通孔の外側方向へ向かう力が加わった場合は、腕部の自由端に設けられた引っ掛け部の係合片が枠部の自由端に設けられた引っ掛け部の溝へ、枠部の係合片が腕部の溝へと互いに嵌合することによって係止機構がロックされる。
【００２２】
横方向（図２に示すJ方向とその逆方向）へ向かう力が加わった場合は、枠部の自由端の引っ掛け部に設けられた凸部が、腕部の自由端の引っ掛け部に形成された凹部に、腕部の凸部は枠部の凹部に嵌まりこんでロックされる。
【００２３】
前記、従来品の例として挙げたものはそれぞれ、電気部品保持具本体をねじるような力に対して、係止機構のロックが解除されないようにする対策はなされていない。従来品の電気部品保持具にねじる方向の力が加わった場合、腕部が挿通孔内部側に移動してしまうと、簡単にロックは解除される。これに対し本発明は、電気部品保持具本体をねじるように力が加わった場合は、前記腕部の凸部が枠部の凹部と係止段部に係止し、枠部の凸部が腕部の凹部と係止段部に係止して係止機構はロックされ、腕部は挿通孔の内側へ移動しない。以上のような構造になっているので係止機構のロックが不用意に解除されてしまうことがない。この係止機構のロックがしっかりしているため腕部や枠部の長さを長くした場合も係止機構のロックは外れない。よって従来品に比べサイズや形状に制約が少ない電気部品保持具を提供することができる。以上により、従来品に比べて多量また多種の電気部品を保持することが可能である。
【００２４】
前記の理由により本発明の電気部品保持具は腕部のサイズにも制約が少ないため、挿通孔の開口部を大きくとることができる。よって従来品に比べて一度に多量の電気部品を挿通孔に入れることができ、作業時間をさらに短縮することができる。
【００２５】
さらに、本発明の電気部品保持具は、簡単な形の金型にて成形しやすい形状に考案されているので、金型代を安くあげることができる。よって制作費を抑えることが可能である。
【００２６】
また固定部と保持部を一体に形成することにより、一層強度が増した電気部品保持具を提供することができる。
【発明を実施するための最良の形態】
【００２７】
以下、本発明に係る電気部品保持具の一実施例を、図面に基づいて詳しく説明する。
【実施例１】
【００２８】
図１は本発明実施例に係る電気部品保持具１の正面図、図２は左側面図（一部断面図となっている）である。本発明の電気部品保持具は図１、図２に示すように保持部２、該保持部２と一体に形成された固定部３からなる。
【００２９】
前記保持部２は略四角形に形成され、基台５からひとつづきに延設された枠部９、該枠部９の自由端には引っ掛け部１０が設けられている。なお、望ましくは基台５と枠部９の接続部分にリブ７を設けておくと保持部２の強度が増す。基台５上の前記枠部９と対向する側には腕部１２が基台５から一体に延設され、腕部１２の自由端には引っ掛け部１１が設けられており、基台５と腕部１２との接続部分には折り曲げ部６が設けられている。この折り曲げ部６は腕部１２や基台５よりも薄肉状に形成され撓みやすくなっているため、腕部１２は折り曲げ部６を支点に図１に示す矢印Ｄの方向へと搖動する。
【００３０】
図３は図１に示した電気部品保持具１の固定部３の要部拡大図、図４は図３の側面図（側面は左右同様である）、図５は図３のＥ−Ｅ矢視断面図である。該固定部３は、支柱１４を中心に押圧支持片１３、１３´と、支柱１４の先端１５から折り返すような形状で逆止爪１６、１６´が支柱１４と一体に形成されている。逆止爪１６、１６´の自由端の内側（支柱１４側）には押え片１７、１７´が形成されている。
【００３１】
図６は図１に示す電気部品保持具１の、保持部２の枠部９の自由端に形成された引っ掛け部１０の要部拡大図である。図７は図６のＨ−Ｈ矢視断面図である。引っ掛け部１０は枠部９から一続きに略コの字状に形成されている。枠部９の内側の面と向かい合う向きで係合片１９が形成され、枠部９と係合片１９を壁２７と壁３１がつないでいる。係合片１９と枠部９と壁２７とで略コの字状に三方を囲まれた空間が保持溝２５になる。係合片１９の先端には凸部２３、壁３１の内側（保持溝２５側）には凹部２０が形成されている。
【００３２】
図８は図１に示す電気部品保持具１の、保持部２の腕部１２の自由端に形成された引っ掛け部１１の要部拡大図である。図９は図８のＧ−Ｇ矢視断面図、図１０は図８の平面図である。図１０はわかりやすいように、一部が破断面図となっており、腕部２１は省略してある。引っ掛け部１１は腕部１２から一続きに略コの字形に形成されている。腕部１２の外側（挿通孔８の反対側）の面と向かい合う向きで係合片２１が形成され、腕部１２と係合片２１を壁２８と壁３２がつないでいる。係合片２１と壁２８と腕部１２で略コの字状に三方を囲まれた空間が保持溝２６になる。係合片２１の先端には凸部２４、壁３２の内側（保持溝２６側）には凹部２２が形成されている。
【００３３】
前記引っ掛け部１０と引っ掛け部１１は互いに嵌合して係止機構の役割を果たす。引っ掛け部１０の保持溝２５に引っ掛け部１１の係合片２１が嵌まり込み、引っ掛け部１１の保持溝２６に引っ掛け部１０の係合片１９が嵌まり込み互いに係止して動かない。通常は、このように引っ掛け部１０と引っ掛け部１１が嵌合した状態で係止機構がロックされた状態となっている。係止機構をロックすると、枠部９と基台５と腕部１２によって略四角形に囲まれた挿通孔８ができる。この挿通孔８は電気部品を挿入して保持する部分である。
【００３４】
本発明の電気部品保持具は合成樹脂等の弾性のある材料で作るのが望ましいが、特に合成樹脂に限定せず、使用に耐える程度の強度と弾性を兼ね備えた材料であればどんな材料を使用しても構わない。
【００３５】
以下、本発明実施例に係る電気部品保持具１の使用方法を説明する。
【００３６】
電気機器の被固定部材（基板等。図は省略する。）に予め貫通開口された取り付け用孔に、被固定部材の一方の側（以下表面という）からもう一方の側（以下裏面という）へ電気部品保持具１の、固定部３の支柱１４の先端１５を挿入すると、逆止爪１６、１６´は取り付け用孔のエッジに当たり押されて先端１５を支点に支柱１４の方向へと撓む。撓むのは本体素材の合成樹脂の性質である弾性を利用している。逆止爪１６、１６´は取り付け用孔を貫通すると弾性復元力により元の形状に戻り、取り付け用孔の裏面側のエッジに逆止爪１６の端１８と、逆止爪１６´の端１８´が係止し、逆止爪１６、１６´と一体に形成された押え片１７、１７´が取り付け用孔のエッジ内周側に係止し、押圧操作片１３、１３´の自由端が被固定部材の表面側に圧接して、電気部品保持具１は被固定部材に固定された状態となる。押圧操作片１３、１３´は被固定部材の厚みによって押され、図１で見る上方（基台５の方向）へ撓み、本体素材の合成樹脂の弾性復元力により元の形状に戻ろうとする力が働くため被固定部材に常に圧接する。以上により、固定部３は押圧操作片１３が基台５側に撓むことができる限界までは、被固定部材の厚みの変化に対応することができ、かつ被固定部材に電気部品保持具１をしっかりと固定することができる。
【００３７】
図１に示す状態から、本発明の電気部品保持具１の腕部２１を図１に示す矢印Ｄ方向へ手や工具等で押すと、折り曲げ部６は撓んで曲がり、引っ掛け部１１は引っ掛け部１０を乗り越え、引っ掛け部１１は引っ掛け部１０よりも内側（挿通孔８側）へと入り込み、引っ掛け部１０と引っ掛け部１１が嵌合し、保持部２の係止機構はロックされた状態、つまり図１９に示した状態となる。これにより、枠部９を外側（挿通孔８の逆側）へと引っ張っても係合片１９が引っ掛け部１１の保持溝２６に嵌合しているためロックは解除されず、また、腕部１２を外側（挿通孔８の逆側、つまり図１に示す矢印Ｄの逆方向）へと引っ張っても係合片２１が引っ掛け部１０の保持溝２５に嵌合しているためロックは解除されない。
【００３８】
電気部品保持具１に電気部品を挿入する際は、前記腕部１２を図１や図１８に示した矢印Ｄ方向へさらに押して、引っ掛け部１１を引っ掛け部１０の保持溝２５から外して係止機構のロックを解除し図１８に示す状態にし、電気部品を挿通孔８内に挿入する。腕部１２をはなすと腕部１２は本体素材である樹脂等の弾性復元力により元にあった場所に戻り、引っ掛け部１１の係合片２１が引っ掛け部１０の保持溝２５に嵌まり係止機構はロックされた状態、つまり図１９に示す状態になるので、使用する時には保持したい電気部品本体で腕部１２を押すなどするだけで簡単に電気部品を本発明の電気部品保持具１に挿入でき、腕部１２は解放されれば自動的に元の場所に戻り、同時に係止機構のロックもできる。
【００３９】
図１９は電気部品保持具１の引っ掛け部１０と引っ掛け部１１を嵌合させ、係止機構をロックしている状態を表す。図２０は図１９のＫ−Ｋ矢視断面図である。図２０はわかりやすいように係合片２１を透明なものとして、その下にある係合片１９が見えるように表している。そして、図２０のＫ−Ｋ断面図の（引っ掛け部１０、１１が嵌合した）状態から、腕部１２を矢印Ｄ方向へ倒して係止機構のロックを解除すると図１８、図２１に示したようになる。
【００４０】
前記のように係止機構をロックした状態で電気部品保持具１に外部からの力がかかった場合や、挿通孔８内に保持している電気部品が何らかの理由で押されたり引っ張られたりして電気部品保持具１に力がかかった場合も係止機構のロックは解除されない構造になっている。腕部１２に、図２と図２３に示す矢印Ｊ方向への力が加わった場合、係合片２１の凸部２４が引っ掛け部１０の壁３１内側の凹部２０に係止するので、腕部１２は矢印Ｊ方向へ動かない。
【００４１】
腕部１２に矢印Ｊの反対方向への力が加わった場合、つまり図２２に表す矢印Ｍ方向への力が加わった場合、壁３２の内側の凹部２２が引っ掛け部１０の凸部２３に係止するので、腕部１２は矢印Ｊの反対方向（つまり矢印Ｍ方向）へも動かない。
【００４２】
枠部９に、図２に示す矢印Ｊ方向への力が加わった場合、係合片１９の凸部２３が引っ掛け部１１の壁３２内側の凹部２２に係止するので、枠部９は矢印Ｊ方向へ動かない。Ｋ−Ｋ断面の部分は、図２２に示す状態となる。
【００４３】
枠部９に矢印Ｊの反対方向への力が加わった場合、壁３１内側の凹部２０が引っ掛け部１１の凸部２４に係止するので、枠部９は矢印Ｊの反対方向へも動かない。Ｋ−Ｋ断面の部分は図２３に示す状態となる。
【００４４】
また、係止機構をロックした状態で電気部品保持具１に外部からの力がかかった場合や、挿通孔８内に保持している電気部品が何らかの理由で押されたり引っ張られたりして電気部品保持具１を斜めにねじるような力がかかった場合、腕部１２は図１に示す矢印Ｄ方向へは動かなくなり係止機構のロックは解除されない構造になっている。以下詳しく説明する。
【００４５】
枠部９に、図２に示す矢印Ｊ方向への力がかかった場合、または腕部１２に図２に示す矢印Ｊの逆方向への力がかかった場合（つまり腕部１２に図２２に表す矢印Ｍ方向への力がかかった場合）引っ掛け部１０の凸部２３が引っ掛け部１１の壁３２内側に形成された凹部２２と係止段部３０に係止するため、係止機構がロックされた状態になり、腕部１２を矢印Ｄ方向へ押しても腕部１２は動かない。
【００４６】
また、枠部９に、図２に示す矢印Ｊの逆方向への力がかかった場合（つまり図２２に示す矢印Ｍ方向への力がかかった場合）、または腕部１２に図２や図２２に示す矢印Ｊ方向への力がかかった場合、引っ掛け部１１の凸部２４が引っ掛け部１０の壁３１内側の凹部２０と係止段部２９に係止するため、係止機構がロックされた状態になり、腕部１２を矢印Ｄ方向へ押しても腕部１２は動かない。
【００４７】
以上により、電気部品保持具１の係止機構のロックは、不用意に電気部品保持具１に様々な方向から力が加わった場合にも不用意に外れることがない。
【００４８】
本発明の電気部品保持具１を被固定部材に取り付けるのと、電線等の電気部品を保持部２の挿通孔内に保持させる手順はどちらが先になっても構わない。
【００４９】
尚、本発明は前記実施例に限らず、保持部２の係止機構（引っ掛け部１０と引っ掛け部１１の嵌合）の形状はそのままで、枠部９や腕部１２のサイズや形状を変えて電気部品を保持する挿通孔８の形状を変えることにより様々な電気部品に対応し、よりしっかりと保持することができる。
【００５０】
また、本発明は前記実施例に限らず、固定部の形状を変えることにより様々な電気機器に取り付けることができる。保持部を電気機器の基板やパネル、シャーシ等の被固定部材に固定できるのであれば、固定部は前記第一実施例にて説明した形状でなくとも構わない。さらに固定部の形状を変更するだけでなく、固定部が無い形、例えば基台５の底面を平らに形成し接着剤や両面テープ等を用いて被固定部材に固定する方法でもよい。また、本発明は電気部品を電気機器に取り付ける用途以外にも使用可能であることはもちろんである。
【図面の簡単な説明】
【００５１】
【図１】本発明の電気部品保持具に係る実施例の正面図である。
【図２】図１の左側面図である。一部断面図になっている。
【図３】図１に示す固定部３の要部拡大図である。
【図４】図３の側面図である。左右側面は同じ形状である。
【図５】図３のＥ−Ｅ断面図である。
【図６】図１に示す引っ掛け部１０の要部拡大図である。
【図７】図６のＨ−Ｈ断面図である。
【図８】図１に示す引っ掛け部１１の要部拡大図である。
【図９】図８のＧ−Ｇ断面図である。
【図１０】図８の要部平面図である。一部断面図となっている。
【図１１】従来の電気部品保持具５０の正面図である。
【図１２】図１０に示す電気部品保持具５０の要部拡大斜視図である。
【図１３】図１０に示す電気部品保持具５０の要部拡大斜視図である。
【図１４】図１２の正面図である。
【図１５】図１３の正面図である。
【図１６】図１４の平面図である。
【図１７】図１５の平面図である。
【図１８】本発明の電気部品保持具に係る実施例の正面図である。
【図１９】本発明の電気部品保持具に係る実施例の正面図である。
【図２０】図１９のＫ−Ｋ矢視断面図である。
【図２１】図２０に表すＫ−Ｋ矢視断面図の状態から、係止機構の嵌合が外れた状態を表す図である。
【図２２】図２０に表すＫ−Ｋ矢視断面図の状態の腕部１２に矢印Ｍ方向からの力がかかった状態、または枠部９に矢印Ｊ方向からの力がかかった状態を表す図である。
【図２３】図２０に表すＫ−Ｋ矢視断面図の状態の腕部１２に矢印Ｊ方向からの力がかかった状態、または枠部９に矢印Ｊの反対方向から力がかかった状態を表す図である。
【図２４】従来の電気部品保持具８１を表す正面図である。
【図２５】図２４の左側面図である。
【図２６】図２４のＶ−Ｖ矢視断面図である。
【図２７】図２６に表すＶ−Ｖ矢視断面図の状態から腕部９２に矢印Ｒ方向への力が加わり、引っ掛け部９０と引っ掛け部９１が外れた状態を表す断面図である。
【図２８】図２６に表すＶ−Ｖ矢視断面図の状態から腕部９２に矢印Ｑ方向への力が加わり、引っ掛け部９０と引っ掛け部９１が外れた状態を表す断面図である。
【符号の説明】
【００５２】
１    電気部品保持具
２    保持部
３    固定部
４    係止機構
５    基台
６    折り曲げ部
７    リブ
８    挿通孔
９    枠部
１０  引っ掛け部
１１  引っ掛け部
１２  腕部
１３  押圧支持片
１４  支柱
１５  先端
１６  逆止爪
１７  押え片
１８  端
１９  係合片
２０  凹部
２１  係合片
２２  凹部
２３  凸部
２４  凸部
２５  保持溝
２６  保持溝
２７  壁
２８  壁
２９  係止段部
３０  係止段部
３１  壁
３２  壁
５０  従来の電気部品保持具
５１  腕部
５２  枠部
５３  支柱
５４  固定部
５５  挿通孔
５６  折曲部
５７  押圧体
５８  係止機構
５９  係止機構
６０  第一凸部
６１  第一凹部
６２  第二凸部
６３  第二凹部
６５  固定部
８１  電気部品保持具
８２  保持部
８３  固定部
８８  挿通孔
８９  枠部
９０  引っ掛け部
９１  引っ掛け部
９２  腕部
９６  折曲部
１００  凹部
１０１  凸部
【図１】
2005135980.tif 000003
【図２】
2005135980.tif 000004
【図３】
2005135980.tif 000005
【図４】
2005135980.tif 000006
【図５】
2005135980.tif 000007
【図６】
2005135980.tif 000008
【図７】
2005135980.tif 000009
【図８】
2005135980.tif 000010
【図９】
2005135980.tif 000011
【図１０】
2005135980.tif 000012
【図１１】
2005135980.tif 000013
【図１２】
2005135980.tif 000014
【図１３】
2005135980.tif 000015
【図１４】
2005135980.tif 000016
【図１５】
2005135980.tif 000017
【図１６】
2005135980.tif 000018
【図１７】
2005135980.tif 000019
【図１８】
2005135980.tif 000020
【図１９】
2005135980.tif 000021
【図２０】
2005135980.tif 000022
【図２１】
2005135980.tif 000023
【図２２】
2005135980.tif 000024
【図２３】
2005135980.tif 000025
【図２４】
2005135980.tif 000026
【図２５】
2005135980.tif 000027
【図２６】
2005135980.tif 000028
【図２７】
2005135980.tif 000029
【図２８】
2005135980.tif 000030